(57)【特許請求の範囲】
【請求項１】
車室内に送風される空気が流れる空気通路（１４，１５）を内部に形成し、第１ケース部材（３，３Ｂ）と第２ケース部材（４，４Ａ，４Ｂ）を含む複数のケース部材を組み合わせて構成される空調ケース（２）と、
前記空調ケースの内部に設けられ、前記車室内に送風される空気を空調する熱交換器（１２）と、
前記空調ケースに設けられ、重力により流下した前記空調ケースの内部の水を前記空調ケースの外部へ排出するドレインポート（３ａ）と、
前記空気通路に通じる前記空調ケースの一部（３１，４１）に形成され、前記空調ケースの内部の水が落下する導出開口部（３２）と、
前記導出開口部から落下した前記空調ケースの内部の水が流下する第１の空間部をなす通路であって、前記ドレインポートに連通する排水通路（３４，３４Ｂ）と、
前記排水通路に落下した水が前記排水通路に隣接する第２の空間部（４４，４４Ａ，４４Ｂ）に流入しないように、前記排水通路と前記第２の空間部とを隔てる仕切り壁（３３，４３，４３Ａ，３３Ｂ）と、
を備え、
前記第１ケース部材と前記第２ケース部材とが嵌合する嵌合部（２０）の内壁における前記両ケース部材の内壁側合わせ部（３７）は、前記第２の空間部を形成する内壁の一部を構成し、
前記内壁側合わせ部は、前記第２の空間部を形成する底壁部（３６）よりも高い位置に設けられることを特徴とする車両用空調装置。
【請求項２】
前記導出開口部（３２）を形成する内周縁部には、下方に向けて先細り形状をなす水切りリブ（４２）が設けられることを特徴とする請求項１に記載の車両用空調装置。
【請求項３】
前記仕切り壁は、前記排水通路を形成する底壁部（３５）から上方に起立するように前記第１ケース部材に設けられる起立壁部（３３）と、前記導出開口部（３２）が形成される前記空調ケースの一部（４１）から下方に延びる壁部であって、前記空調ケースの外部に露出する外壁部（４３Ａ）と、が重ね合わされて構成されることを特徴とする請求項１または請求項２に記載の車両用空調装置。
【請求項４】
前記仕切り壁は、前記導出開口部から流れ落ちた水が前記第２の空間部（４４Ｂ）に流入しない高さまで、前記排水通路を形成する底壁部（３５）から上方に起立するように、前記第１ケース部材に設けられた起立壁部（３３Ｂ）であることを特徴とする請求項１に記載の車両用空調装置。
【請求項５】
前記起立壁部（３３Ｂ）は、その上部が前記第２の空間部（４４Ｂ）の上方を横切るように延びる形状であることを特徴とする請求項４に記載の車両用空調装置。
【発明の詳細な説明】
【技術分野】
【０００１】
本発明は、複数のケース部材を組み合わせた空調ケースの内部に停留する水をドレインポートから排出する車両用空調装置に関する。
【背景技術】
【０００２】
特許文献１には、左右分割型の空調ケースの分割面から凝縮水が漏れ出ることを防止し、凝縮水排出機能を向上させた車両用空調装置が記載されている。当該装置は、蒸発器が内部に装着され、第１ケースと第２ケースとが結合された空調ケースを有し、第１ケースは、主ドレイン流路と、主ドレイン流路に通じる第１凝縮水排水路とを備え、第２ケースは、補助ドレイン流路と、補助ドレイン流路に通じる第２凝縮水排水路とを備える。さらに第１ケースの底面及び／または第２ケースの底面には、蒸発器から発生した凝縮水を主ドレイン流路及び／または補助ドレイン流路に導く凝縮水排出口が形成されている。
【先行技術文献】
【特許文献】
【０００３】
【特許文献１】特開２０１０−１９５３８４号公報
【発明の概要】
【発明が解決しようとする課題】
【０００４】
上記特許文献１の車両用空調装置では、第１ケースと第２ケースのそれぞれに凝縮水排水路が設けられているため、空調ケースの底面に停留する水は、凝縮水排出口、主ドレイン流路を経由して第１凝縮水排水路から空調ケース外部に排出されたり、凝縮水排出口、主ドレイン流路、補助ドレイン流路を経由して第２凝縮水排水路から空調ケース外部に排出されたりする。すなわち、いずれの凝縮水排水路からでも水を排出できる構造になっている。
【０００５】
しかしながら、特許文献１の車両用空調装置は、２つの凝縮水排水路、２つのドレインポートを有し、この構成を実現するためには、ケースを成形する金型の構造に、各凝縮水排水路に連通するドレインポートを２個分形成しなければならない。このため、金型の形状が複雑になり、金型製作コスト、部品コストがより高価になる。
【０００６】
本発明は、上記問題点に鑑みてなされたものであり、一つの排水通路に連通するドレインポートから空調ケース内の水を外部に排出でき、さらに複数のケース部材の嵌合部分からの外部への漏水を防止できる車両用空調装置を提供することを目的とする。
【課題を解決するための手段】
【０００７】
本発明は上記目的を達成するために以下の技術的手段を採用する。本発明に係る車両用空調装置は、車室内に送風される空気が流れる空気通路（１４，１５）を内部に形成し、第１ケース部材（３，３Ｂ）と第２ケース部材（４，４Ａ，４Ｂ）を含む複数のケース部材を組み合わせて構成される空調ケース（２）と、空調ケースの内部に設けられ、車室内に送風される空気を空調する熱交換器（１２）と、空調ケースに設けられ、重力により流下した空調ケースの内部の水を空調ケースの外部へ排出するドレインポート（３ａ）と、空気通路に通じる空調ケースの一部（３１，４１）に形成され、空調ケースの内部の水が落下する導出開口部（３２）と、当該導出開口部から落下した空調ケースの内部の水が流下する第１の空間部をなす通路であって、ドレインポートに連通する排水通路（３４，３４Ｂ）と、排水通路に落下した水が排水通路に隣接する第２の空間部（４４，４４Ａ，４４Ｂ）に流入しないように、排水通路と第２の空間部とを隔てる仕切り壁（３３，４３，４３Ａ，３３Ｂ）と、を備え、
第１ケース部材と第２ケース部材とが嵌合する嵌合部（２０）の内壁における両ケース部材の内壁側合わせ部（３７）は、第２の空間部を形成する内壁の一部を構成し、
内壁側合わせ部は、第２の空間部を形成する底壁部（３６）よりも高い位置に設けられることを特徴とする。
【０００８】
この発明によれば、空調ケースの内部に存在する水は、導出開口部から流れ落ちて排水通路に至る。排水通路に落下した水は仕切り壁によって遮られて第２の空間部に流入しないように排水通路を流下するとともに、排水通路に通じるドレインポートから外部に排出される。このように空調ケースの内部の水は、排水通路を経由してドレインポートから排出されるという一つの排水経路をたどるようになり、空調ケースを構成する部材用の金型形状が複雑になることを防止できる。さらに、この発明によれば、長期間の使用等により、第２の空間部に少しずつ水が侵入することになったとしても、内壁側合わせ部が第２の空間部を形成する底壁部よりも高い位置に設けられるため、侵入した水が内壁側合わせ部の高さに達するまで、両ケース部材の内壁側合わせ部から外部に漏水することなく、第２の空間部に水を貯留することができる。なお、空調ケース内部の水は、原則、第２の空間部に流入しないで排水通路を流下するため、第２の空間部に達する水量はわずかであり、時間経過とともに蒸発し得る。以上より、一つの排水通路に連通するドレインポートから空調ケース内の水を外部に排出することができ、さらに複数のケース部材の嵌合部分からの外部への漏水を防止できる車両用空調装置を提供できる。
【０００９】
なお、特許請求の範囲及び上記手段の項に記載した括弧内の符号は、ひとつの態様として後述する実施形態に記載の具体的手段との対応関係を示す一例であって、本発明の技術的範囲を限定するものではない。
【図面の簡単な説明】
【００１０】
【図１】本発明を適用した第１実施形態に係る車両用空調装置の空調ケースの外観を示す正面図である。
【図２】空調ケースの内部の概略構成を示す縦断面図である。
【図３】蒸発器下方に設けられる排水経路を説明するための拡大した縦断面図である。
【図４】本発明を適用した第２実施形態に係る排水経路を説明するための拡大した縦断面図である。
【図５】本発明を適用した第３実施形態に係る排水経路を説明するための拡大した縦断面図である。
【発明を実施するための形態】
【００１１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００１２】
（第１実施形態）
本発明を適用した第１実施形態の車両用空調装置について、図１〜図３を参照して説明する。図１及び図３において、紙面の上方は車両上方向であり、紙面の下方は車両下方向であり、紙面の左右方向は車両幅方向を示している。図２において、紙面の上方は車両上方向であり、紙面の下方は車両下方向であり、紙面の左側は車両前方であり、紙面の右側は車両後方を示している。図２は、図１のII−II断面を矢印方向にみた場合の図面である。図３は、図２のIII−III断面を矢印方向にみた場合の図面に、さらに第２ケース部材４に係る断面も描画し、理解を容易にしたものである。
【００１３】
図１に示すように、車両用空調装置の室内ユニット１は、内部に空気通路を形成するとともに、各種の機能部品を収容する空調ケース２を備えている。空調ケース２は、少なくとも車両左方側に配置される第１ケース部材３と、車両右方側に配置される第２ケース部材４とを相互に結合してなる複数のケース部材の組み合わせによって構成されている。
【００１４】
第１ケース部材３と第２ケース部材４とは、上下方向に延びる結合部で結合している。この結合部は、例えば、一方の結合端面に形成した突起部と他方の結合端面に形成した溝部とが嵌合する嵌合部２０からなる。嵌合部２０は、車両上下及び車両前後の両方に延びる結合部をなす。
【００１５】
空調ケース２には、空調ケース２の内部に存在する水を外部に排水するためのドレインポート３ａが設けられている。ドレインポート３ａは、嵌合部２０の位置から車幅方向にずらした位置の空調ケース２の最下部に配置され、先端に出口開口部３ａ１を有して下方に延びるパイプ状の部分である。第１実施形態では、ドレインポート３ａは、第１ケース部材３に設けられている。
【００１６】
室内ユニット１は、例えば、車両の車室内前方部の計器盤下方に図２に示す姿勢で設置され、大別して送風ユニットと空調ユニットとの２つの部分が並設する構成をなす。送風ユニットは、室内ユニット１の内部に車室内の空気（内気）もしくは車室外の外気を吸引する機能を有し、車両幅方向（図２の紙面表裏方向）に内外気切替箱（図示せず）を備えている。
【００１７】
送風ユニットは、電動式の送風機１１を備える。送風機１１は、遠心多翼ファン１１０とファン駆動用のモータとを有する。遠心多翼ファン１１０はスクロールケーシング１１１内に配置されている。スクロールケーシング１１１の空気流れ下流側には、スクロールケーシング１１１の出口から延びる流路を構成するダクト部１１２が設けられている。このダクト部１１２は、送風ユニットから送風された送風空気を蒸発器１２に導入するための通路を形成する。送風ユニットの出口部は、このダクト部１１２によって空調ユニットの入口部に接続される。
【００１８】
空調ユニットは、１つの共通の空調ケース２内に蒸発器１２とヒータコア１３の熱交換器を内蔵する。空調ケース２は例えばポリプロピレンのような、ある程度弾性を有し、強度的にも優れた樹脂の成形品からなり、分割された複数のケース部材（第１ケース部材３と第２ケース部材４）からなる。この複数のケース部材は、蒸発器１２及びヒータコア１３の熱交換器、エアミックスドア１６等の機器を収納した後に、スナップフィット等の係合手段、金属バネクリップ、ネジ等の締結手段等により一体に結合されて空調ケース２を構成する。
【００１９】
なお、本実施形態では、空調ケース２は、スクロールケーシング１１１、ダクト部１１２とともに一体的に成形されている。具体的には、スクロールケーシング１１１及びダクト部１１２の車両左方側の一部が、第１ケース部材３と一体成形されており、スクロールケーシング１１１及びダクト部１１２の車両右方側の残部が、第２ケース部材４と一体成形されている。
【００２０】
空調ケース２の下方部の後方側部位には、空気流入通路１２０が設けられ、この空気流入通路１２０には、送風ユニットから送風される空気がダクト部１１２を介して流入する。空調ケース２の内部において、空気流入通路１２０の直後の部位に蒸発器１２が通路の全域を横切るように配置されている。この蒸発器１２は、冷凍サイクルの冷媒の蒸発潜熱を空気から吸収して空気を冷却する冷却用熱交換器である。
【００２１】
蒸発器１２は、相互に間隔を空けて配列された複数の冷媒管及びアウターフィンを有するコア部と、コア部の複数の冷媒管と接続されるヘッダタンクと、を備える。また、ヘッダタンクと空調ケース２の壁部との間には、空気漏れを防止するためのインシュレータ２２ｃを備えるようにしてもよい。蒸発器１２のコア部は、矩形平板状をなしており、この矩形平板状の厚さ方向に空気が通過するようになっている。すなわち、コア部は、空気の通過方向に対して略直交する方向に広がるように延びる熱交換部である。また、蒸発器１２のコア部は、鉛直方向に対して傾斜する姿勢で配置されている。さらに蒸発器１２のコア部は、その上端が下端よりも車両後方側に位置するように傾斜している。
【００２２】
蒸発器１２の空気流れ下流側（車両後方側）に、ヒータコア１３が配置されている。このヒータコア１３は、蒸発器１２を通過した冷風を再加熱するものであって、その内部に高温のエンジン冷却水が流れ、この冷却水を熱源として空気を加熱する熱交換器である。
【００２３】
空調ケース２内で、蒸発器１２の車両後方側の部位における上半分に相当する通路には、このヒータコア１３を通過しない空気（冷風）が流れる冷風通路１４が設けられている。また、空調ケース２内で、ヒータコア１３よりも車両後方側から車両上方側にわたる部位には、このヒータコア１３を通過した空気（温風）が流れる温風通路１５が設けられている。
【００２４】
蒸発器１２の車両後方の部位には、冷風通路１４と温風通路１５とを開閉し、これら通路の開放割合を調整できるエアミックスドア１６が配置されている。エアミックスドア１６は、ヒータコア１３を通る空気（温風）とヒータコア１３を通過しない空気（冷風）の風量割合を調整する。エアミックスドア１６は、ドア本体に設けられたラックとピニオンとの噛みあわせによりドア本体を平行移動させ、各通路の開放度合いを調整するスライド方式のドアである。
【００２５】
冷風通路１４及び温風通路１５の下流側の部位には、冷風通路１４からの冷風とヒータコア１３からの温風とを合流させて、冷風と温風とを混合させる冷温風混合空間部１７が設けられている。空調ケース２の上部において、車両前方側の部位には、冷温風混合空間部１７に連通し上方に延びるデフロスタ通路５が設けられている。デフロスタ通路５は、図示しないデフロスタダクトを介して、車室内に開口するデフロスタ吹出口に接続され、この吹出口から車両前面窓ガラスの内面に向けて空調風を吹き出す。
【００２６】
空調ケース２の上部において、デフロスタ通路５よりも車両後方側に隣接する部位には、冷温風混合空間部１７に連通し上方に延びるフェイス通路６が設けられている。フェイス通路６は、図示しないフェイスダクトを介して、車室内に開口するフェイス吹出口に接続され、この吹出口から車室内の乗員頭部に向けて空調風を吹き出す。また、空調ケース２の中ほどまたは下部には、冷温風混合空間部１７に連通し下方に延びるフット通路７が設けられている。フット通路７は、図示しないフットダクトを介して、車室内に開口するフット吹出口に接続され、この吹出口から車室内の乗員足元に向けて空調風を吹き出す。
【００２７】
デフロスタ通路５、フェイス通路６及びフット通路７は、複数の開口部を開閉可能な吹出口切替ドア１８によって開閉される。吹出口切替ドア１８には、回転軸と、回転軸に一体に結合されたドア本体とにより構成される、いわゆる片持ちドアや、エアミックスドア１６と同様のスライド方式のドアを使用することができる。
【００２８】
空調ケース２の底部には、空調ケース２内の水、例えば、空調ケース２内に取り込まれた空気とともに外部から侵入した水や、蒸発器１２の表面で生成した凝縮水等を車室外に排出するためのドレインポート３ａが設けられている。図２及び図３に示すように、ドレインポート３ａは、空調ケース２の内部における蒸発器１２の下方部位に設けられた、空調風が流れる空気通路ではない排水通路３４に連通するように設けられている。
【００２９】
空気通路に通じる空調ケース２の一部や、空気通路を形成する空調ケース２の一部には、導出開口部３２が設けられている。導出開口部３２は、空調ケース２の内部の水が重力作用によって排水通路３４へ落下する際に通る開口部である。導出開口部３２は、空気通路に通じる位置に形成された第１ケース部材３の下方壁部３１や、空気通路に通じる位置に形成された第２ケース部材４の下方壁部４１を貫通する開口部である。下方壁部３１、下方壁部４１は、例えば、図２に示すように、蒸発器１２の下部を支持する支持壁部であり、この支持壁部に複数の導出開口部３２が開口する構成を採用することができる。導出開口部３２は、下方壁部３１、下方壁部４１を貫通する矩形状や、スリット状の開口部である。
【００３０】
空調ケース２において、導出開口部３２を形成する内周縁部には、下方に向けて先細り形状をなす水切りリブ４２が設けられている。この水切りリブ４２によれば、空調ケース２の内部の水は、導出開口部３２から落下する際に、水切りリブ４２の表面を伝わって流下し、先細り部分から水滴となって排水通路３４へ落下するようになる。
【００３１】
嵌合部２０は、第１ケース部材３に形成された突起部３０と第２ケース部材４に形成された溝部４０とが互いに嵌合することにより形成される。この嵌合部２０の形成によって、第１ケース部材３と第２ケース部材４が組み合わされることにより、下方壁部３１や下方壁部４１よりも下方に樋形の空間部（第１の空間部と第２の空間部４４）が形成される。
【００３２】
空調ケース２は、第１の空間部である排水通路３４と、第１の空間部に隣接する第２の空間部４４とを隔てる仕切り壁を備える。仕切り壁は、嵌合部２０の形成に伴い、２つの壁部が重なり合って構成されている。仕切り壁を構成する一つは、排水通路３４を形成する底壁部３５から上方に起立するように第１ケース部材３に設けられる起立壁部３３である。仕切り壁を構成するもう一つは、導出開口部３２が形成される下方壁部４１から下方に延びように設けられる垂下壁部４３である。
【００３３】
このように起立壁部３３と垂下壁部４３は、仕切り壁を構成する中ほど、または中ほどより高い位置でそれぞれの先端部がオーバーラップする関係にある。なお、オーバーラップするそれぞれの先端部間は、当接することが望ましい。起立壁部３３と垂下壁部４３は、下方壁部３１や下方壁部４１よりも下方に形成される樋形の空間部を排水通路３４と第２の空間部４４とに二分する。したがって、起立壁部３３と垂下壁部４３は、排水通路３４に落下した水が第２の空間部４４に流入しないように第２の空間部４４を遮蔽し、導出開口部３２を通り抜けた水が第２の空間部４４に侵入することを防止する。
【００３４】
図３に図示するように、第１ケース部材３と第２ケース部材４とが嵌合する嵌合部２０では、その内壁における両ケース部材の内壁側合わせ部３７が第２の空間部４４を形成する内壁の一部を構成する。内壁側合わせ部３７は、嵌合部２０における第１ケース部材３の内壁部分と第２ケース部材４の内壁部分とが接合する部分に相当する。すなわち、内壁側合わせ部３７は、第２の空間部４４に面し、露出する。
【００３５】
さらに、内壁側合わせ部３７は、第２の空間部４４を形成する底壁部３６よりも高い位置に設けられている。すなわち、内壁側合わせ部３７が形成する両ケース部材の接合部は、底壁部３６よりも所定高さ分、高い位置に設定されている。仮に第２の空間部４４に水が侵入したとしても、水面位置がこの所定高さ分を超えるまでは、両ケース部材の接合部は濡れることはなく、第２の空間部４４に侵入した水が当該接合部から外部にしみ出るような事態にはならない。
【００３６】
このように排水通路３４は、第１ケース部材３の側壁部、第１ケース部材３の底壁部３５、起立壁部３３と垂下壁部４３で構成される仕切り壁等で囲まれる第１の空間部である。第２の空間部４４は、第２ケース部材４の側壁部４５、第１ケース部材３の底壁部３６、起立壁部３３と垂下壁部４３で構成される仕切り壁等で囲まれる空間部である。
【００３７】
以下に、第１実施形態の車両用空調装置がもたらす作用効果について説明する。車両用空調装置の室内ユニット１は、導出開口部３２から落下した空調ケース２の内部の水が流下する第１の空間部をなす通路であって、ドレインポート３ａに連通する排水通路３４と、排水通路３４に落下した水が排水通路３４に隣接する第２の空間部４４に流入しないように、排水通路３４と第２の空間部４４とを隔てる仕切り壁（起立壁部３３及び垂下壁部４３）と、を備える。第１ケース部材３と第２ケース部材４とが嵌合する嵌合部２０の内壁における両ケース部材３，４の内壁側合わせ部３７は、第２の空間部４４を形成する内壁の一部を構成する。内壁側合わせ部３７は、第２の空間部４４を形成する底壁部３６よりも高い位置に設けられる。
【００３８】
この構成によれば、空調ケース２の内部に存在する水は、導出開口部３２から流れ落ちて排水通路３４に至る。排水通路３４に落下した水は仕切り壁（起立壁部３３及び垂下壁部４３）によって遮られて第２の空間部４４に流入しないように排水通路３４を流下するとともに、排水通路３４に通じるドレインポート３ａから外部に排出される。このように空調ケース２の内部の水は、排水通路３４を経由してドレインポート３ａから排出されるという一つの排水経路をたどるようになり、空調ケース２を構成するケース部材用の金型形状が複雑になることを防止できる。
【００３９】
さらに、この車両用空調装置によれば、長期間の使用等により、第２の空間部４４に少しずつ水が侵入することになったとしても、内壁側合わせ部３７が第２の空間部４４を形成する底壁部３６よりも高い位置に設けられるため、侵入した水が内壁側合わせ部３７の接合部の高さに達するまで、内壁側合わせ部３７から外部に漏水することなく、第２の空間部４４に水を貯留することができる。なお、空調ケース２の内部の水は、原則、第２の空間部４４に流入しないで排水通路３４を流下する構造であるため、第２の空間部４４に漏れる水量はわずかであり、この漏れ水は時間経過とともに自然蒸発する。
【００４０】
この車両用空調装置は、一つの排水通路３４に連通するドレインポート３ａから空調ケース２の内部の水を外部に排出する構成であるため、前述した特許文献１に記載の従来技術に比べ、部品点数、金型製作コスト、部品コストを抑制できる。また、嵌合部２０の内壁側合わせ部３７が排水通路に面しない構成であるため、嵌合部分に漏水防止用のパッキン等を設ける必要がなく、嵌合部分からの漏水を受けるドレンパンのような部材を必要としない車両用空調装置を提供できる。
【００４１】
また、空調ケース２における、導出開口部３２を形成する内周縁部には、下部の先端が先細り形状をなす水切りリブ４２が設けられている。この構成によれば、空調ケース２の内部の水は、導出開口部３２から落下する際に、水切りリブ４２の表面を伝わって流下し、先細り部分から水滴となって排水通路３４へ落下するようになる。このため、当該水が、第２の空間部４４側に飛散することを防止でき、第２の空間部４４に流入させないで排水通路３４を経由してドレインポート３ａへ排出する経路を確実に構築することができる。さらに、水切りリブ４２は、これは、第２の空間部４４側への飛散水防止の観点から、導出開口部３２を形成する内周縁部のうち、少なくとも仕切り壁に近い側に設けられていることが望ましい。
【００４２】
（第２実施形態）
第２実施形態では、第１実施形態に対する他の形態である車両用空調装置について図４を参照して説明する。第２実施形態では、図４に図示する排水経路に係る要部のみ第１実施形態の図３と異なるものである。第２実施形態において、第１実施形態に係る図面と同一符号を付した構成部品及び説明しない構成は、第１実施形態と同様であり、同様の作用効果を奏するものである。
【００４３】
図４に示すように、第２実施形態における仕切り壁は、排水通路３４を形成する底壁部３５から上方に起立するように第１ケース部材３に設けられる起立壁部３３と、第２ケース部材４Ａの下方壁部４１から下方に延びる壁部であって、空調ケース２の外部に露出する外壁部４３Ａと、が重ね合わされて構成される。この構成により、排水通路３４は、第１ケース部材３の側壁部、第１ケース部材３の底壁部３５、起立壁部３３と外壁部４３Ａで構成される仕切り壁等で囲まれる第１の空間部となる。また、第２の空間部４４Ａは、嵌合部２０を構成する溝部４０から上方に延びる第２ケース部材４Ａの側壁部４５、第１ケース部材３の底壁部３６、起立壁部３３と外壁部４３Ａで構成される仕切り壁等で囲まれる空間部となる。
【００４４】
第２実施形態によれば、起立壁部３３と外壁部４３Ａで仕切り壁を構成することにより、空調ケース２を構成するケース部材用の金型の形状をより簡単化でき、金型製作コストの抑制に貢献できる。
【００４５】
（第３実施形態）
第３実施形態では、第１実施形態に対する他の形態である車両用空調装置について図５を参照して説明する。第３実施形態では、図５に図示する排水経路に係る要部のみ第１実施形態の図３と異なるものである。第２実施形態において、第１実施形態に係る図面と同一符号を付した構成部品及び説明しない構成は、第１実施形態と同様であり、同様の作用効果を奏するものである。
【００４６】
図５に示すように、第３実施形態における仕切り壁は、第１ケース部材３Ｂに設けられた起立壁部３３Ｂで構成される。起立壁部３３Ｂは、導出開口部３２から流れ落ちた水が第２の空間部４４Ｂに流入しない高さまで、排水通路３４Ｂを形成する底壁部３５から上方に起立する壁部である。起立壁部３３Ｂの上端部の高さは、導出開口部３２から落下した水が、第２の空間部４４Ｂ内に飛散する前に、起立壁部３３Ｂの側面に衝突して当該側面を伝って流下する高さに設定するものである。第３実施形態に記載する車両用空調装置は、このような作用を奏する高さに上端部が設定された起立壁部３３Ｂを備えるものである。
【００４７】
この構成によれば、空調ケース２の内部の水は、導出開口部３２から落下する際に、起立壁部３３Ｂを伝わって流下し、起立壁部３３Ｂの根元部から排水通路３４へ流れ出るようになる。このため、当該水が、第２の空間部４４Ｂ側に飛散することを防止でき、第２の空間部４４Ｂに流入させないで排水通路３４Ｂを経由してドレインポート３ａへ排出する経路を確実に構築することができる。また、起立壁部３３Ｂで仕切り壁を構成することにより、空調ケース２を構成するケース部材用の金型の形状をより簡単化でき、金型製作コストの抑制に貢献できる。
【００４８】
さらに、起立壁部３３Ｂは、第２の空間部４４Ｂ側への飛散水防止の観点から、その上部が第２の空間部４４Ｂの上方を横切るように延びる先端部３８を有する。すなわち、起立壁部３３Ｂは、その縦断面形状が逆Ｌ字状をなしている。さらに、起立壁部３３Ｂの先端部３８は、第２の空間部４４Ｂ側への飛散水防止の観点から、第２ケース部材４Ｂの側壁部４５Ｂに近接する位置まで延びていることが望ましい。
【００４９】
嵌合部２０Ｂは、第１ケース部材３Ｂに形成された突起部３０Ｂと第２ケース部材４Ｂに形成された溝部４０Ｂとが互いに嵌合することにより形成される。この嵌合部２０Ｂの形成によって、第１ケース部材３Ｂと第２ケース部材４Ｂが組み合わされることにより、下方壁部３１や下方壁部４１よりも下方に樋形の空間部（排水通路３４Ｂと第２の空間部４４Ｂ）が形成される。
【００５０】
このように第３実施形態では、排水通路３４Ｂは、第１ケース部材３Ｂの側壁部、第１ケース部材３の底壁部３５、起立壁部３３Ｂで構成される仕切り壁等で囲まれる第１の空間部となる。また、第２の空間部４４Ｂは、嵌合部２０Ｂを構成する溝部４０Ｂから上方に延びる第２ケース部材４Ｂの側壁部４５Ｂ、第２ケース部材４Ｂの底壁部４８、起立壁部３３Ｂで構成される仕切り壁等で囲まれる空間部となる。
【００５１】
図５に図示するように、第１ケース部材３Ｂと第２ケース部材４Ｂとが嵌合する嵌合部２０Ｂでは、その内壁における両ケース部材の内壁側合わせ部４７が第２の空間部４４Ｂを形成する内壁の一部を構成する。内壁側合わせ部４７は、嵌合部２０Ｂにおける第１ケース部材３Ｂの内壁部分と第２ケース部材４Ｂの内壁部分とが接合する部分に相当する。すなわち、内壁側合わせ部４７は、第２の空間部４４Ｂに面し、露出する。
【００５２】
さらに、内壁側合わせ部４７は、第２の空間部４４Ｂを形成する底壁部４８よりも高い位置に設けられている。すなわち、内壁側合わせ部４７が形成する両ケース部材の接合部は、底壁部４８よりも所定高さ分、高い位置に設定されている。仮に第２の空間部４４Ｂに水が侵入したとしても、水面位置がこの所定高さ分を超えるまでは、両ケース部材の接合部は濡れることはなく、第２の空間部４４Ｂに侵入した水が当該接合部から外部にしみ出るような事態にはならない。
【００５３】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００５４】
上記の実施形態では、ドレインポート３ａは、第１ケース部材３に設けられているが、この形態に限定されない。ドレインポート３ａは、第２ケース部材４に設けられる構成でもよい。
【００５５】
上記の第１実施形態及び第２実施形態において、排水通路３４と第２の空間部４４，４４Ａを二分する仕切り壁は、２つの壁部の先端部同士が当接する関係にあるが、本発明に含まれる仕切り壁は、この形態に限定されるものではない。２つの壁部の先端部は、オーバーラップする関係にあればよく、つまり、水平方向にみた場合に、一つの仕切り壁として排水通路３４と第２の空間部４４，４４Ａとを隔てる状態にあればよい。例えば、２つの壁部の先端部間に隙間が生じていてもよい。
【符号の説明】
【００５６】
３，３Ｂ…第１ケース部材（ケース部材）
３ａ…ドレインポート
４，４Ａ，４Ｂ…第２ケース部材（ケース部材）
２０…嵌合部
３２…導出開口部
３３，３３Ｂ…起立壁部（仕切り壁）
３４，３４Ｂ…排水通路
３７…内壁側合わせ部
４３，４３Ａ…垂下壁部（仕切り壁）
４４，４４Ａ，４４Ｂ…第２の空間部
【図１】
0005772709.tif 000002
【図２】
0005772709.tif 000003
【図３】
0005772709.tif 000004
【図４】
0005772709.tif 000005
【図５】
0005772709.tif 000006